(57)【要約】【課題】  飲料容器以外のお菓子、おつまみ等を一緒に載せられるようにする。【解決手段】  飲料容器３０を載せる容器載せ部１０と、容器載せ部１０を嵌脱自在な嵌合凹部４及び嵌合凹部４に隣接して設けられて食べ物を載せる食べ物載せ部５を有するコースター本体２とを備える。食べ物載せ部５は周囲に比べて内側が凹んだ皿状に形成されており、コースター本体２は平面的に見て玉子形に形成されている。嵌合凹部４は、コースター本体２の内、長軸の一方の端部寄りに偏った位置に設けられており、食べ物載せ部５は、コースター本体２の内、嵌合凹部４を除く領域内に形成されている。容器載せ部１０は円盤状の芯材と、芯材の上面を覆う柔軟性の有るカバーを含み、カバーは芯材に対し着脱自在に形成されている。【選択図】      図１
2020174998.tif 000002
【特許請求の範囲】
【請求項１】
飲料容器を載せる容器載せ部と、
容器載せ部を嵌脱自在な嵌合凹部と、嵌合凹部に隣接して設けられて食べ物を載せる食べ物載せ部とを有するコースター本体と、
を備えたことを特徴とするコースター。
【請求項２】
飲料容器を載せる容器載せ部と、
容器載せ部を嵌脱自在な嵌合凹部と、嵌合凹部に隣接して設けられて食べ物を載せる食べ物載せ部とを有するコースター本体と、
を備え、
食べ物載せ部は、周囲に比べて内側が凹んだ皿状に形成されていること、
を特徴とするコースター。
【請求項３】
コースター本体は、平面的に見て玉子形または楕円形またはお結び形または扇形に形成されていること、
を特徴とする請求項１または２記載のコースター。
【請求項４】
嵌合凹部は、コースター本体の内、長軸の一方の端部寄りに偏った位置に設けられており、
食べ物載せ部は、コースター本体の内、嵌合凹部を除く領域内に形成されていること、
を特徴とする請求項１乃至３の内のいずれか一項記載のコースター。
【請求項５】
容器載せ部を嵌合凹部に嵌合したとき、容器載せ部の上面がコースター本体の上面より低い位置に来るようにしたこと、
を特徴とする請求項１乃至４の内のいずれか一項記載のコースター。
【請求項６】
容器載せ部は、
円盤状の芯材と、
芯材の少なくとも上面を覆う柔軟性の有るカバーを含み、
カバーは芯材に対し着脱自在に形成されていること、
を特徴とする請求項１乃至５の内のいずれか一項記載のコースター。
【請求項７】
カバーは、
吸水性または透水性を有すること、
を特徴とする請求項１乃至６の内のいずれか一項記載のコースター。
【請求項８】
芯材の上面とカバーの間に、吸水マットを介装したこと、
を特徴とする請求項１乃至７の内のいずれか一項記載のコースター。
【発明の詳細な説明】
【技術分野】
【０００１】
本発明はコースターに係り、とくにコースター本体がコップ、グラス等の飲料容器を載せる容器置き部より遙かに大きく形成されたコースターに関する。
【背景技術】
【０００２】
コースターは、コップ、グラス等の飲料容器に冷たい飲み物を入れたときに容器外面に結露した水滴がテーブルを濡らしてしまうのを防止するために用いられる。従来のコースターは、上に載せるコップ、グラス等の対象容器の底面より少しだけ大きな円形に形成されており、容器以外のものを一緒に載せることができなかった。
【発明の概要】
【発明が解決しようとする課題】
【０００３】
本発明は上記した従来技術の問題に鑑みなされたもので、容器以外のお菓子、おつまみ等の食べ物を一緒に載せることができるコースターを提供することを、その目的とする。
【課題を解決するための手段】
【０００４】
請求項１記載の発明では、
飲料容器を載せる容器載せ部と、
容器載せ部を嵌脱自在な嵌合凹部と、嵌合凹部に隣形して設けられて食べ物を載せる食べ物載せ部とを有するコースター本体と、
を備えたことを特徴としている。
請求項２記載の発明では、
飲料容器を載せる容器載せ部と、
容器載せ部を嵌脱自在な嵌合凹部と、嵌合凹部に隣接して設けられて食べ物を載せる食べ物載せ部とを有するコースター本体と、
を備え、
食べ物載せ部は、周囲に比べて内側が凹んだ皿状に形成されていること、
を特徴としている。
請求項３記載の発明では、
コースター本体は、平面的に見て玉子形または楕円形またはお結び形または扇形に形成されていること、
を特徴としている。
請求項４記載の発明では、
嵌合凹部は、コースター本体の端部寄りに偏った位置に設けられており、
食べ物載せ部は、コースター本体の内、嵌合凹部を除く領域内に形成されていること、
を特徴としている。
請求項５記載の発明では、
容器載せ部を嵌合凹部に嵌合したとき、容器載せ部の上面がコースター本体の上面より低い位置に来るようにしたこと、
を特徴としている。
請求項６記載の発明では、
容器載せ部は、
円盤状の芯材と、
芯材の少なくとも上面を覆う柔軟性の有るカバーを含み、
カバーは芯材に対し着脱自在に形成されていること、
を特徴としている。
請求項７記載の発明では、
カバーは、
吸水性または透水性を有すること、
を特徴としている。
請求項８記載の発明では、
芯材の上面とカバーの間に、吸水マットを介装したこと、
を特徴としている。
【発明の効果】
【０００５】
本発明によれば、コースターに、コップ、グラス等の飲料容器に加えてお菓子、おつまみ等の食べ物を一緒に載せることができ、食べ物が散らばるのを防止できるほか、食べ物を載せる小皿を別途用意する手間が省ける。
また他の発明によれば、食べ物載せ部が凹んだ皿状に形成されているので、食べ物をコースター本体の外側にこぼし難くなる。
また更に他の発明によれば、コースター本体が平面的に見て玉子形または楕円形または扇形に形成されているので、斬新な美観を呈することができる。
また他の発明によれば、嵌合凹部は、コースター本体の端部寄りに偏った位置に設けられており、食べ物載せ部は、コースター本体の内、嵌合凹部を除く領域内に形成されているので、食べ物載せ部の面積を広く取ることができる。
また他の発明によれば、容器載せ部を嵌合凹部に嵌合したとき、容器載せ部の上面がコースター本体の上面より低い位置に来るようにしたので、容器の外面に結露し底近くに垂れた水滴が嵌合凹部に溜まり易くなり、コースター本体の上面が水濡れし難くなる。
また他の発明によれば、容器載せ部のカバーを芯材から取り外し、交換して気分を変えたり、洗って汚れを落としたりできる。
また他の発明によれば、カバーが吸水性または透水性を有するので、容器の外面に結露し下方に垂れた水滴により、容器の底面近くやコースター本体の上面が水濡れするのを防止できる。
また他の発明によれば、芯材の上面とカバーの間に、吸水マットを介装したので、容器の底面近くやコースター本体の上面がより一層水濡れし難くなる。
【図面の簡単な説明】
【０００６】
【図１】図１は本発明の一実施例に係るコースターの平面図である（実施例１）。
【図２】図２は図１の側面図である。
【図３】図３は図１の底面図である。
【図４】図４は図１のＩＶ−ＩＶ’線に沿った断面図である。
【図５】図５は図１のＶ−Ｖ’線に沿った断面図である。
【図６】図６は図１中の容器載せ部の平面図である。
【図７】図７は容器載せ部の底面図である。
【図８】図１に示すコースターの使用方法の説明図である。
【図９】図１に示すコースターの変形例に係る平面図である。
【発明を実施するための最良の形態】
【０００７】
以下、本発明の最良の形態を実施例に基づき説明する。
【実施例１】
【０００８】
図１乃至図７を参照して本発明の一実施例を説明する。図１は本発明の一実施例に係るコースターの平面図、図２は図１の側面図、図３は図１の底面図、図４は図１のＩＶ−ＩＶ’線に沿った断面図、図５は図１のＶ−Ｖ’線に沿った断面図、図６は図１中の容器載せ部の平面図、図７は容器載せ部の底面図である。
これらの図において、１は、平面視が卵形のコースターであり、コップ、グラス等の飲料容器と、お菓子、おつまみなどの食べ物を一緒に載せることができるようになっている。２は平面視が卵形のコースター本体であり、上下方向の長軸が長く、左右方向の短軸が短く形成されるとともに、下部側が細く、上部側が太く形成されており、また、左右が対称に形成されている。コースター本体２の上面３には、長軸方向の中央から見て細い下端部寄りに偏らせた位置に、後述する容器載せ部（符号１０参照）を嵌脱自在に嵌合可能な円柱状の嵌合凹部４が形成されている。
【０００９】
また、コースター本体２の上面３には、嵌合凹部４に隣接する領域内にお菓子、おつまみ等の食べ物を載せる食べ物載せ部５が設けられている。この実施例では、食べ物載せ部５はコースター本体２の上面３の長軸方向の内、嵌合凹部４を除く領域内で、嵌合凹部４の上側の脇からコースタ本体２の上端部までのほぼ全域を使って、周囲より内部が凹んだ皿状に形成されている。食べ物載せ部５の内部が凹部６となっていることにより、凹部６に入れられたお菓子、おつまみ等の食べ物を取り出す際、食べ物が凹部６の中を横に滑っても、凹部６の縁の傾斜面６ａで止まるので、食べ物を摘まみ易くなり、コースター本体２の縁２ａから外側へこぼさずに済む。
【００１０】
コースター本体２の底面７の周端縁には、段差部８が一周にわたって形成されており、コースター本体２をテーブルから持ち上げる際に、指が掛り易くなっている。また、コースター本体２の底面７の内、嵌合凹部４の下側には、底面７から嵌合凹部４までを貫通する小孔９が穿設されており、底面７の側からピン（図示せず）を差し込むことで、嵌合凹部４に嵌脱自在に嵌合された容器載せ部１０を外部に押し出し可能になっている。
【００１１】
コースター本体２の材質には木材（針葉樹または広葉樹の無垢材・合板・集成材）、エポキシ樹脂・ウレタン樹脂・ＦＲＰ・シリコンゴム等のプラスチック材、アルミニウム・銅・ステンレス鋼・鉄・鉛などの金属材、陶器、ガラス、石、セメント材、硬質紙ボードなどを用いることができ、外面を塗装処理して保護することもできる。塗装には、水性または油性の顔料・染料・塗料、柿渋、蜜蝋、食物オイルなどを用いることができる。
【００１２】
１０は円盤状の容器載せ部であり、上にコップ、グラス等の飲料容器を載せることで、容器外面に結露した水滴により、テーブル（図示せず）が水濡れするのを防止する。容器載せ部１０は、円盤状の芯材１１と、芯材１１の上面の全体及び下面の周端部を覆う柔軟性を有するカバー１２と、芯材１１の上面とカバー１２の間に介装された円盤状の吸水マット１３から成る。ここでは吸水マット１３は芯材１１、カバー１３のいずれとも独立した別部材とする（なお、吸水マット１３を芯材１１の上面に装着させたり、カバー１２の下面に装着させたりしても良い）。
【００１３】
カバー１２は、芯材１１より大きな円形に形成されており、芯材１１の上面全部から底面側の周端部までを包み込み、円形に窄めた端縁部１４を糸１５で一周分グシ縫いし、糸１５の両端の引き出し部１６、１７を引き絞ることにより、芯材１２に着脱自在に取り付けられている（図６、図７）。端縁部１４の開口１４ａを広げることにより、簡単に芯材１１からカバー１２、吸水マット１３を外すことができ、カバー１２、吸水マット１３の交換や洗濯等を容易に行うことができる。
【００１４】
芯材１１の材質には木材（針葉樹または広葉樹の無垢材・合板・集成材）、エポキシ樹脂・ウレタン樹脂・ＦＲＰ・シリコンゴム等のプラスチック材、アルミニウム・銅・ステンレス鋼・鉄・鉛などの金属材、陶器、ガラス、石、セメント材、硬質紙ボードなどを用いることができる。
【００１５】
カバー１２の材質には、綿・麻・絹・毛等の天然繊維またはナイロン等の合成繊維で織られた手織り・機械織りなどの織布、不織布、これらに刺し子・こぎん刺し・刺繍をしたものや染色したもの、レース編みなどの編み物、パッチワーク、天然皮革または合成皮革、ペーパなどを用いることができ、とくに、織布、不織布、ペーパなどの吸水性または透水性を有する材質を用いると、容器の外面に結露し外面沿って下方に水滴が垂れてもカバー１２や吸水マット１３に吸水されて、容器の底面近くやコースター本体２の上面３が水濡れするのを防止できる。
【００１６】
容器載せ部１０の厚さＨは嵌合凹部４の深さＤより少し薄く形成されており、容器載せ部１０を嵌合凹部４に嵌合したとき、容器載せ部１０の上面１０ａがコースター本体２の上面３より低い位置に来るようになっている。これにより、容器の外面に結露し底近くに垂れた水滴が嵌合凹部４に溜まり易くなるので、コースター本体２の上面が水濡れし難くなる。
【００１７】
次に、上記した実施例の使用方法を説明する。
ここでは、カバー１２は吸水性と透水性を有する織布であるとする。
カバー１２により芯材１１の上面側を吸水マット１３を重ねた上から底面側の周端部まで包み込み、円形に窄めた端縁部１４を糸１５で一周分グシ縫いし、糸１５の両端の引き出し部１６、１７を引き絞ることにより、容器載せ部１０を用意する。この容器載せ部１０を上面１０ａを上にしてコースター本体２の嵌合凹部４に嵌合することにより、コースター１を完成させる。この際、容器載せ部１０の下面側がコースター本体２の嵌合凹部４の底面１４ａに付くようにする。
コースター１、冷たい飲み物を入れたコップ、グラス等の飲料容器３０、お菓子、おつまみ等の食べ物３１をテーブルに運んで客や家族等の飲食者の前に置き、飲料容器３０を容器載せ部１０に載せ、お菓子、おつまみ等の食べ物３１を食べ物載せ部５に載せることにより、別途、食べ物を載せる小皿を用意しなくて済む。
【００１８】
飲食者は、卵形のコースター１から斬新な美観を堪能することができる。また、また、食べ物載せ部５が凹んだ皿状に形成されているので、食べ物３１を摘まむ際にコースター本体２の外側にこぼし難くなる。
容器載せ部１０を嵌合凹部４に嵌合したとき、容器載せ部１０の上面がコースター本体２の上面３より低い位置に来るので、飲料容器３０の外面に結露し底近くに垂れた水滴が嵌合凹部４に溜まり易くなり、コースター本体２の上面が水濡れし難くなる。
また、カバー１２が織布なので、飲料容器３０の外面に結露し外面沿って下方に水滴が垂れてもカバー１２や吸水マット１３に吸水されて、飲料容器３０の底面近くやコースター本体２の上面３が水濡れするのを防止できる。
【００１９】
カバー１２、吸水マット１３を交換したり洗濯したい場合、コースター本体２の底面７に形成した小孔９にピン（図示せず）を差し込むことで、嵌合凹部４に嵌脱自在に嵌合された容器載せ部１０を外部に押し出して取り外す。そして、容器載せ部１０の底面側のカバー１２の端縁部１４の開口１４ａを広げることにより、簡単に芯材１１からカバー１２、吸水マット１３を外すことができる。
なお、吸水マットを省略して容器載せ部を構成することもできる。
【００２０】
この実施例によれば、コースター１に、飲料容器３０に加えてお菓子、おつまみ等の食べ物３１を一緒に載せることができ、食べ物３１が散らばるのを防止できるほか、食べ物３１を載せる小皿を別途用意する手間が省ける。また、食べ物載せ部５が凹んだ皿状に形成されているので、食べ物３１を摘まみ上げる際に、コースター本体２の外側にこぼし難くなる。
また、コースター本体２が平面的に見て玉子形に形成されているので、斬新な美観を呈することができる。
また、嵌合凹部４は、コースター本体２の長軸の一方の端部寄りに偏った位置に設けられており、食べ物載せ部５は、コースター本体２の内、嵌合凹部４を除く領域内に形成されているので、食べ物載せ部５の面積を広く取ることができる。
また、容器載せ部１０を嵌合凹部４に嵌合したとき、容器載せ部１０の上面１０ａがコースター本体２の上面３より低い位置に来るようにしたので、飲料容器３０の外面に結露し飲料容器３０の底近くに垂れた水滴が嵌合凹部４に溜まり易くなり、コースター本体２の上面２ａが水濡れし難くなる。
また、容器載せ部１０のカバー１２、吸水マット１３を芯材１１から取り外し、交換して気分を変えたり、洗って汚れを落としたりできる。
また、カバー１２に吸水性または透水性を持たせることにより、飲料容器３０の外面に結露し下方に垂れた水滴により、飲料容器３０の底近くやコースター本体２の上面２ａが水濡れするのを防止でき、更に芯材１２の上面とカバー１２の間に、吸水マット１３を介装することにより、飲料容器３０の底近くやコースター本体２の上面３がより一層水濡れし難くすることができる。
【００２１】
なお、上記した実施例では、コースター本体２を卵形とした例を挙げて説明したが、本発明は何らこれに限定されず、楕円形、お結び形、扇形などとしても良い。また食べ物載せ部も、凹みのない平面状としても良い。図９にコースター本体２Ａを楕円形とし、食べ物載せ部５Ａを平面状としたコースター２Ａの例を示す。図９において、容器載せ部１０Ａはコースター本体２Ａの内、長軸方向の中央から見て細い下端部寄りに偏らせた位置に、容器載せ部１０Ａを嵌脱自在に嵌合可能な円柱状の嵌合凹部４Ａが形成されている。
【産業上の利用可能性】
【００２２】
本発明は、コップ、グラス等の飲料容器を載せるコースターに適用可能である。
【符号の説明】
【００２３】
１  コースター
２  コースター本体
４  嵌合凹部
５  食べ物載せ部
１０  容器載せ部
【図１】
2020174998.tif 000003
【図２】
2020174998.tif 000004
【図３】
2020174998.tif 000005
【図４】
2020174998.tif 000006
【図５】
2020174998.tif 000007
【図６】
2020174998.tif 000008
【図７】
2020174998.tif 000009
【図８】
2020174998.tif 000010
【図９】
2020174998.tif 000011